(57)【要約】      （修正有）【課題】ビークルからの妨害的異常表示を削減するための機外装置を提供する。【解決手段】装置は、組込み試験に応じて、ライン交換可能ユニットによって生成された異常を含むデータ等のデータを収集してビークル性能状態監視（ＶＨＭ）システム又は一または複数のビークルシステムに伝達するために、ビークル性能状態監視（ＶＨＭ）システム又は一または複数のビークルシステムに通信可能に結合されている。装置はまた、ビークルの状態及び保守履歴を記述するデータを記憶するように構成されたコンピュータ化保守管理システムにも結合可能である装置は、異常表示の解析、異常表示の有効性又は無効性の確率を決定し、ＬＲＵの現在の動作環境に基づく信号経路の状態指標を決定し、異常表示が高い確率で有効である場合にのみ、通知を生成し、又は通知を生成するために異常表示を出力するようにプログラミングされている。【選択図】図２
2018139104.tif 000002
【特許請求の範囲】
【請求項１】
電子ハードウェアを含むライン交換可能ユニット（ＬＲＵ）（１００）を備えたビークル（２００）からの妨害的異常表示を削減するための機外装置（２０２）であって、
少なくともデータを収集してビークル性能状態監視（ＶＨＭ）システム又は一または複数のビークルシステムに伝達するために、ビークル性能状態監視（ＶＨＭ）システム（２０４）又は一または複数のビークルシステム（２０４、２０６）に通信可能に結合されており、
現在の動作環境内の前記電子ハードウェアを通して信号経路からＢＩＴ信号が出力される組込み試験（ＢＩＴ）に応じて、前記複数のＬＲＵ（１００）のうちの１つのＬＲＵによって生成された異常表示を含むデータを前記装置（２０２）が受信することを可能にする前記ＶＨＭ（２０４）又は前記一または複数のビークルシステム（２０４、２０６）に結合可能な少なくとも１つの通信インターフェース（５０８）であって、前記ビークル（２００）の状態及び保守履歴を記述するデータを記憶するように構成されたコンピュータ化保守管理システム（ＣＭＭＳ）（２１０）にも結合可能である少なくとも１つの通信インターフェース（５０８）と、
前記少なくとも１つの通信インターフェース（５０８）に結合された処理回路（５０２）であって、少なくとも
複数の動作環境に対し、前記現在の動作環境に基づく前記信号経路の状態指標と、前記ＬＲＵ（１００）の構造力学を表す前記ＬＲＵ（１００）のコンピュータモデルから導出された状態指標への動作環境の変換と、前記ＬＲＵ（１００）への機械的応力及び熱応力とを決定し、
前記異常表示の解析、前記異常表示以外の前記一または複数のビークルシステム（２０４、２０６）からのデータ、及び前記ＣＭＭＳ（２１０）からのデータ、及び前記状態指標に基づいて前記異常表示の有効性又は無効性の確率を決定し、
ＢＩＴ信号の有効性スコアを作成するために、前記状態指標に前記異常表示の有効性又は無効性の前記確率を乗算し、
前記確率及び前記保守データに基づく閾値を設定し、
前記ＢＩＴ信号の有効性スコアと前記閾値との比較に基づいて前記異常表示が有効か無効かを決定し、
前記異常表示が有効である場合にのみ、通知を生成し、又は通知を生成するために前記異常表示を出力し、あるいは異常表示が有効でない場合には前記異常表示を破棄する
ようにプログラミングされた処理回路（５０２）と
を備える装置。
【請求項２】
前記動作環境は、前記電子ハードウェアの温度、湿度、振動、経年劣化又は衝撃係数、又は前記ＬＲＵ（１００）と少なくとも１つの他のＬＲＵとの間の相互作用のうちの少なくとも１つによって定義される、請求項１に記載の装置。
【請求項３】
前記確率を決定する前記ＣＭＭＳ（２１０）からの前記データは、前記ＬＲＵ（１００）の異常表示履歴を含み、各異常表示履歴は前記ＬＲＵ（１００）の修復及び保守活動の過去の効果に基づいて有効又は無効と示される、請求項１又は２に記載の装置。
【請求項４】
前記確率を決定する前記異常表示以外の前記一または複数のビークルシステム（２０４、２０６）からの前記データは、前記現在の動作環境を表すパラメータを含む、請求項１から３のいずれか一項に記載の装置。
【請求項５】
前記処理回路（５０２）が更に前記変換を導出するようにプログラミングされ、これには少なくとも、
前記複数の動作環境の各動作環境に対し、前記ＬＲＵ（１００）の動作環境における前記電子ハードウェアの構造力学、及び前記電子ハードウェアへの機械的応力及び熱応力を表す前記コンピュータモデルを構成し、
そのように構成された前記コンピュータモデルを用いて、
前記電子ハードウェアを通して前記信号経路の対応する信号経路から出力信号を発生させるように、入力信号を前記コンピュータモデルに適用し、
前記入力信号と前記出力信号とに基づいて前記ＬＲＵ（１００）の動作環境における前記信号経路の状態指標を決定する
ように前記処理回路（５０２）がプログラミングされていることが含まれる、請求項１から４のいずれか一項に記載の装置。
【請求項６】
前記異常表示が有効か無効かを決定するように前記処理回路（５０２）がプログラミングされることは、前記ＢＩＴ信号の有効性スコアの値が許容上限を定義する前記閾値を下回る場合、又は許容下限を定義する前記閾値を上回る場合に、前記ＢＩＴ信号が有効であると決定するようにプログラミングされることを含む、請求項１から５のいずれか一項に記載の装置。
【請求項７】
前記処理回路（５０２）が前記通知を生成する、又は前記通知を生成するために前記異常表示を出力するようにプログラミングされることは、前記通知又は前記異常表示に基づいて前記ＣＭＭＳ（２１０）に前記ＬＲＵ（１００）の保守活動を自動的にスケジューリングさせるために、前記通知又は前記異常表示を前記ＣＭＭＳ（２１０）に出力するようにプログラミングされることを含む、請求項１から６のいずれか一項に記載の装置。
【請求項８】
高機能異常表示システム（２０６）を使用する電子ハードウェアを含むライン交換可能ユニット（ＬＲＵ）（１００）を備えたビークル（２００）からの妨害的異常表示を削減する方法であって、前記高機能異常表示システム（２０６）は、少なくともデータを収集してビークル性能状態監視（ＶＨＭ）システム（２０４）又は一または複数のビークルシステム（２０４、２０６）に伝達するために、ビークル性能状態監視（ＶＨＭ）システム（２０４）又は一または複数のビークルシステム（２０４、２０６）に通信可能に結合され、
現在の動作環境内の電子ハードウェアを通して信号経路から対応する有効性スコアを有するＢＩＴ信号が出力される組込み試験（ＢＩＴ）に応じて、複数のＬＲＵ（１００）のうちの１つのＬＲＵによって生成された異常表示を含むデータを、前記ＶＨＭ（２０４）に結合可能な少なくとも１つの通信インターフェース（５０８）によって受信することであって、前記少なくとも１つの通信インターフェース（５０８）は、前記ビークル（２００）の状態及び保守履歴を記述するデータを記憶するように構成されたコンピュータ化保守管理システム（ＣＭＭＳ）（２１０）にも結合可能である、受信することと、
複数の動作環境に対し、前記現在の動作環境に基づく前記信号経路の状態指標と、前記ＬＲＵ（１００）の構造力学を表す前記ＬＲＵ（１００）のコンピュータモデルから導出された状態指標への動作環境の変換と、前記ＬＲＵ（１００）への機械的応力及び熱応力とを前記処理回路（５０２）によって決定することと、
前記異常表示の解析、前記異常表示以外の前記一または複数のビークルシステム（２０４、２０６）からのデータ、及び前記ＣＭＭＳ（２１０）からのデータ、及び前記状態指標に基づいて前記異常表示の有効性又は無効性の確率を決定することと、
ＢＩＴ信号の有効性スコアを作成するために、前記状態指標に前記異常表示の有効性又は無効性の前記確率を乗算することと、
前記処理回路（５０２）によって、前記確率及び前記保守データに基づく閾値を設定することと、
前記処理回路（５０２）によって、前記ＢＩＴ信号の有効性スコアと前記閾値との比較に基づいて、前記異常表示が有効か無効かを決定することと、
前記処理回路（５０２）によって、前記異常表示が有効である場合にのみ通知を生成する、あるいは通知を生成するために前記異常表示を出力すること、あるいは前記異常表示が有効でない場合には前記異常表示を破棄することと
を含む方法。
【請求項９】
前記動作環境は、前記電子ハードウェアの温度、湿度、振動、経年劣化又は衝撃係数、又は前記ＬＲＵ（１００）と少なくとも１つの他のＬＲＵとの間の相互作用のうちの少なくとも１つによって定義される、請求項８に記載の方法。
【請求項１０】
前記確率を決定する前記ＣＭＭＳ（２１０）からの前記データは、前記ＬＲＵ（１００）の異常表示履歴を含み、各異常表示履歴は、前記ＬＲＵ（１００）の修復、異常表示及び保守活動の過去の効果に基づいて有効又は無効と示される、請求項８又は９に記載の方法。
【請求項１１】
前記確率を決定する前記異常表示以外の前記一または複数のビークルシステム（２０４、２０６）からの前記データは、前記現在の動作環境を表すパラメータを含む、請求項８から１０のいずれか一項に記載の方法。
【請求項１２】
前記処理回路（５０２）によって前記変換を導出することを更に含み、これには、
前記複数の動作環境の各動作環境に対し、
前記ＬＲＵ（１００）の動作環境における前記電子ハードウェアの構造力学、及び前記電子ハードウェアへの機械的応力及び熱応力を表す前記コンピュータモデルを構成することと、
そのように構成された前記コンピュータモデルを用いて、
前記電子ハードウェアを通して前記信号経路の対応する信号経路から出力信号が発生するように入力信号を前記コンピュータモデルに適用することと、
前記入力信号と前記出力信号とに基づいて前記ＬＲＵ動作環境における前記信号経路の状態指標を決定することと
が含まれる、請求項８から１１のいずれか一項に記載の方法。
【請求項１３】
前記異常表示が有効か無効かを決定することは、前記ＢＩＴ信号の有効性スコアの値が許容上限を定義する前記閾値を下回る場合、又は許容下限を定義する前記閾値を上回る場合に、前記ＢＩＴ信号が有効であると決定することを含む、請求項８から１２のいずれか一項に記載の方法。
【請求項１４】
前記通知を生成する、又は前記通知を生成するために前記異常表示を出力することは、前記通知又は前記異常表示に基づいて前記ＣＭＭＳ（２１０）に前記ＬＲＵ（１００）の保守活動を自動的にスケジューリングさせるために、前記通知又は前記異常表示を前記ＣＭＭＳ（２１０）に出力することを含む、請求項８から１３のいずれか一項に記載の方法。
【請求項１５】
請求項８から１４のいずれか一項に記載の方法を実施するための、コンピュータによって実行可能な命令が記憶されたコンピュータ可読媒体。
【発明の詳細な説明】
【技術分野】
【０００１】
本開示は概して、ビークルの性能状態の管理に関し、具体的には、物理ベース及びデータ駆動型モデルを使用した、ビークルからの妨害的異常表示の削減に関する。本開示は、不必要な取り外し及び保守費用の増加につながる妨害的異常を削減することができる。
【背景技術】
【０００２】
今日のビークルでは、ビークルサブシステム及び構成要素の監視及び制御を提供するための電子構成要素の使用が増加しているが、これにより、ビークルの全体的な保全性に悪影響が及ぶ可能性がある。これは、電子構成要素により妨害的異常表示が生成されるためであり、この結果、構成要素の不必要な取り外し及び保守と、その後のビークル全体の動作不能期間が生じる。ハードウェアの動作状態を確認するために、組込み試験（ＢＩＴ）が構成される。これには、確立された閾値を越える適切な電力及び信号レベルの利用可能性、電子構成要素、接続構成要素、センサ、アクチュエータ等の性能状態の評価が含まれる。ほとんどの場合、これらの信号が固定閾値レベルと比較され、これらが必須範囲内でない場合に警告が生成される。現在の解決策では、警告が作成されたときに、動作環境、電子構成要素及び内部接続システムの条件は考慮されない。これが妨害的異常表示につながり、その結果、不必要な取り外しと、保守費用の増加が起こる。
【０００３】
例えば、通常の環境条件下では、５ボルト（ｖ）の電力を使用して動作するように構成された電子構成要素は、５ボルト閾値を下回るが許容範囲内の電圧（例：最低４．００ｖを供給するように構成され、電子構成要素に４．３ｖを供給する５ボルト（ｖ）の電源）を受けたときにもこれに応じて満足な動作状態を有する場合がある。しかしながら、極端な環境条件（例：猛暑、高振動、又は高湿度の中）下では、電子構成要素は低い電圧（例：特定の電子構成要素の動作に対して不十分な３．５ボルト）を受けたことに応じて不満足な動作状態を有しうる。この結果、妨害的異常表示が生成され、その後の試験のために構成要素が取り外される。構成要素を取り外した後、及び構成要素の試験中に、環境条件が通常条件に戻り、電圧を供給する電源も変わる、又は高い電圧出力を供給するようになり、電子構成要素の試験では異常が見つからないという結果となる。
【０００４】
したがって、上述の問題の少なくとも一部、並びに、起こりうる他の問題を勘案するシステム及び方法を有することが望ましいかもしれない。
【発明の概要】
【０００５】
本開示の例示の実行形態は、例えば航空機、地上ビークル及びライン交換可能ユニット（ＬＲＵ）を備えた船等のビークルからの妨害的異常表示を削減するための、改善された装置、方法及びコンピュータ可読記憶媒体を対象とする。例示の実行形態は、注意警告と勧告（ＣＷＡ）等の異常表示を生成するＬＲＵ内の電子構成要素及び信号内部接続の動作に影響を与える要因を重みづけすることによって、妨害的異常を削減する。これらの要因には、例えば作動温度、湿度、振動又は衝撃、経年劣化、他のシステムとの相互作用、保守履歴及び構成要素の補修効果等が挙げられる。
【０００６】
例示の実行形態は、物理ベース及びデータ駆動型の方法を組み合わせたものである。経年劣化、熱、振動及び湿度及び外部負荷等の環境条件への暴露による結果的なＬＲＵの動作を予測するために、物理モデルが使用される。加えて、測定パラメータへのこれらの環境要因の影響がモデル化され、計算される。例えば、コネクタ及びワイヤハーネスにおける抵抗が高まった結果、特定温度と振動における供給電圧が減少した場合、測定パラメータが設定閾値よりも低下し、その結果、ＢＩＴが作動する。状態が緩和すると、ＢＩＴは停止し、ＬＲＵが航空機から取り外された後には再び起こり得ない。
【０００７】
物理モデルは、異常表示が作成された各信号経路の状態及び性能状態の基準を提供するものである。この状態指標を使用して、異常表示の有効性が評価される。
【０００８】
データ駆動型モデルは、保守及び動作履歴を活用する。保守及び動作履歴には、過去の動作環境、異常表示の有効性、補修効果に関するデータ、及び所定の異常表示の有効性又は無効性の決定に寄与しうる全ての関連情報が含まれる。本開示は非限定的に、下記の例示の実行形態を含む。
【０００９】
幾つかの例示の実行形態は、電子ハードウェアを含むライン交換可能ユニット（ＬＲＵ）を備えたビークルからの妨害的異常表示を削減する方法を提供する。本装置は、ビークル性能状態監視（ＶＨＭ）システム又は一または複数のビークルシステムに通信可能に結合され、少なくともデータを収集し、これらに伝達する。本方法は、ＶＨＭに結合可能な少なくとも１つの通信インターフェースによって、組込み試験（ＢＩＴ）に応じて複数のＬＲＵのうちの１つのＬＲＵによって生成された異常表示を含むデータを受信することを含み、組込み試験では、信号経路から現在の動作環境内の電子ハードウェアを通してＢＩＴ信号が出力される。少なくとも１つの通信インターフェースは、ビークルの状態及び保守履歴を記述したデータを記憶するように構成された、コンピュータ化保守管理システム（ＣＭＭＳ）にも結合可能である。
【００１０】
本方法はまた、処理回路によって、現在の動作環境に基づく信号経路の状態指標と、ＬＲＵの構造力学を表すＬＲＵのコンピュータモデルから導出された状態指標への動作環境の変換と、複数の動作環境におけるＬＲＵの機械的応力及び熱応力とを決定することも含む。本方法はまた、少なくとも１つの通信インターフェースに結合された処理回路によって、異常表示の解析、異常表示以外の一または複数のビークルシステムからのデータ、及びＣＭＭＳからのデータ、及び状態指標に基づいて異常表示の有効性又は無効性の確率を決定することも含む。本方法はまた、ＢＩＴ信号の有効性スコアを作成するために、状態指標に異常表示の有効性又は無効性の確率を乗算することも含む。
【００１１】
本方法はまた、処理回路によって、確率及び保守データに基づく閾値を設定することも含む。本方法はまた、処理回路によって、ＢＩＴ信号の有効性スコアと閾値との比較に基づいて、異常表示が有効か無効かを決定することも含む。本方法はまた、処理回路によって、異常表示が有効である場合にのみ通知を生成する、あるいは通知を生成するために異常表示を出力すること、あるいは異常表示が有効でない場合には異常表示を破棄することも含む。
【００１２】
前述の又は後述のいずれかの例示の実行形態の方法の幾つかの例示の実行形態、又はそれらの任意の組み合わせでは、動作環境は、電子ハードウェアの温度、湿度、振動、経年劣化又は衝撃係数、又はＬＲＵと少なくとも１つの他のＬＲＵとの間の相互作用のうちの少なくとも１つによって定義される。
【００１３】
前述の又は後述のいずれかの例示の実行形態の方法の幾つかの例示の実行形態、又はそれらの任意の組み合わせでは、確率を決定するＣＭＭＳからのデータは、ＬＲＵの異常表示履歴を含み、これらは各々、ＬＲＵの修復及び保守活動の過去の効果に基づいて有効又は無効と示される。
【００１４】
前述の又は後述のいずれかの例示の実行形態の方法の幾つかの例示の実行形態、又はそれらの任意の組み合わせでは、確率を決定する異常表示以外の一または複数のビークルシステムからのデータは、現在の動作環境を表すパラメータを含む。
【００１５】
前述の又は後述のいずれかの例示の実行形態の方法の幾つかの例示の実行形態、又はそれらの任意の組み合わせでは、本方法は更に、ＬＲＵの動作環境において、複数の動作環境の各動作環境における電子ハードウェアの構造力学、及び電子ハードウェアへの機械的応力及び熱応力を表すコンピュータモデルを構成することを含む、変換を導出することと、そのように構成されたコンピュータモデルを用いて、電子ハードウェアを通して信号経路の対応する信号経路から出力信号が発生するように入力信号をコンピュータモデルに適用することと、入力信号と出力信号とに基づいてＬＲＵ動作環境における信号経路の状態指標を決定することとを含む。
【００１６】
前述の又は後述のいずれかの例示の実行形態の方法の幾つかの例示の実行形態、又はそれらの任意の組み合わせでは、異常表示が有効か無効かを決定することは、ＢＩＴ信号の有効性スコアの値が許容上限を定義する閾値を下回る場合、又は許容下限を定義する閾値を上回る場合に、ＢＩＴ信号が有効であると決定することを含む。
【００１７】
前述の又は後述のいずれかの例示の実行形態の方法の幾つかの例示の実行形態、又はそれらの任意の組み合わせでは、通知を生成する、又は通知を生成するために異常表示を出力することは、ＣＭＭＳに通知又は異常表示に基づいてＬＲＵの保守活動を自動的にスケジューリングさせるために、通知又は異常表示をＣＭＭＳに出力することを含む。
【００１８】
幾つかの例示の実行形態では、電子ハードウェア、及びＶＨＭシステムを含むＬＲＵを備えたビークルからの妨害的異常表示を削減するための装置が提供される。本装置は、処理回路と、実行可能な命令を記憶するメモリとを備え、実行可能な命令は、処理回路による実行に応じて、装置に、例えば前述のいずれかの例示の実行形態の方法、又はこれらの任意の組み合わせを少なくとも実施するように構成されたモデラー、データ解析エンジン、閾値セッター（ｓｅｔｔｅｒ）、及びリーズナー（ｒｅａｓｏｎｅｒ）等の幾つかのサブシステムを実行させる。
【００１９】
幾つかの例示の実行形態では、電子ハードウェアを含むライン交換可能ユニット（ＬＲＵ）、及びビークル性能状態監視（ＶＨＭ）システムを備えたビークルからの妨害的異常表示を削減するためのコンピュータ可読記憶媒体が提供されている。コンピュータ可読記憶媒体は、非一時的であり、かつ、コンピュータ可読プログラムコード部分が記憶されており、このコンピュータ可読プログラムコード部分は、処理回路による実行に応じて、装置に、少なくとも、前述のいずれかの例示的な実行形態の方法、又はそれらのいずれかの組み合わせを実施させる。
【００２０】
本開示の上記の特徴、態様、及び利点、及びその他の特徴、態様、及び利点は、下記の詳細説明と共に、簡潔に後述する添付図面を参照することで明らかになろう。本開示は、本書に記載の特定の例示的な実行形態において本開示に明記する２つ、３つ、４つ、又はそれよりも多くの特徴又は要素が明示的に組み合わされている、あるいは列挙されているか否かにかかわらず、上記特徴又は要素の任意の組み合わせを含む。この開示は全体論的に、本開示の全ての分離可能な特徴又は要素が、その態様及び例示的な実行形態のいずれにおいても、本開示の文脈に明記しない限りは意図したように、つまり組合せ可能であると見なされるように、読まれるためのものである。
【００２１】
したがって、この「発明の概要」は、本開示の幾つかの態様の基本的な理解を提供するために、幾つかの例示的な実行形態を要約することのみを目的に提供されていると理解されたい。したがって、上述の例示的な実行形態は例に過ぎず、いかなる意味においても、本開示の範囲又は本質を狭めると解釈すべきではないことを理解されたい。その他の例示的な実行形態、態様、及び利点は、添付図面と併せて下記の詳細説明を参照することで明らかになろう。添付図面は、例を用いて、記載されているいくつかの例示的な実行形態の原理を示すものである。
【００２２】
上述のように、本開示の実施例の実行形態を一般的な用語で説明したが、ここでは添付図面を参照する。これらの図面は必ずしも正確な縮尺で描かれているわけではない。
【図面の簡単な説明】
【００２３】
【図１】本開示の例示の実行形態に係る、ライン交換可能ユニット（ＬＲＵ）を示す図である。
【図２】本開示の例示の実行形態に係る、コンピュータ化保守管理システム（ＣＭＭＳ）と結合可能なビークルを示す図である。
【図３】本開示の例示の実行形態に係る、物理ベース及びデータ駆動型モデルを使用してビークルからの妨害的異常表示を削減するシステムを示す図である。
【図４】本開示の例示の実行形態に係る、物理ベース及びデータ駆動型モデルを使用してビークルからの妨害的異常表示を削減する方法の様々な工程を示すフロー図である。
【図５】幾つかの例示の実行形態に係る装置を示す図である。
【発明を実施するための形態】
【００２４】
添付図面を参照して、本開示のいくつかの実行形態について、以下でより詳しく説明する。添付図面には本開示の実行形態の一部が示されているが、すべてが示されているわけではない。実際のところ、本開示の様々な実行形態は、多くの異なる形態で具現化されてよく、本書に明記されている実行形態に限定されると解釈すべきではない。むしろ、これらの例示的な実行形態は、本開示が包括的かつ完全なものになるように、かつ、当業者に本開示の範囲が十分に伝わるように提供されている。例えば、別途記載されない限り、何かを「第１の」、「第２の」などのように言及しても、特定の順序を暗示していると解釈すべきではない。また例えば、本書では、定量的尺度、値、関係などが参照され得る。別途明記されない限り、これらの全てではないがそのうちの一又は複数はいずれも、工学上の公差などによるものといった、発生しうる許容可能な変動を考慮して、絶対的又は近似的なものでありうる。類似の参照番号は、全体を通して類似の要素を表す。
【００２５】
本開示の例示の実行形態は概してビークルの性能状態の監視を対象とし、具体的には、ビークルからの妨害的異常表示の削減を対象としたものである。例示の実行形態は主に、ビークルの保守及び監視システムにおける応用と併せて記載される。しかしながら、例示の実行形態は、ビークルが航空機である航空宇宙産業とそれ以外の両方における他の様々な応用に関連して利用されうることを、理解されたい。他の適切なビークルの例は、陸上ビークル、宇宙船、船舶等である。
【００２６】
より具体的には、本開示の例示の実行形態により、物理ベース及びデータ駆動型のモデリング方法の組み合わせを用いて、ビークルからの妨害的異常表示が削減される。例えば、経年劣化、及び熱、振動及び湿度及び外部負荷等の環境条件への暴露による結果的なビークル内の電子ハードウェアの動作を予測するために、コンピュータモデルが使用される。具体的には、電子ハードウェアの測定パラメータへのこれらの環境条件の影響がモデル化され、計算される。例えば、電子ハードウェア（例：コネクタ及びワイヤハーネス）において抵抗が高まった結果、特定温度と振動における供給電圧が減少した場合、異常を識別するために、測定パラメータが徐々に、あるいは断続的に設定閾値よりも低下し、その結果、妨害的異常表示が生成される。コンピュータモデルは、異常表示が作成された各信号経路の状態及び性能状態の基準又は視標の決定も使用されうる。次に、この状態指標を使用して、異常表示の有効性が評価される。異常表示の有効性を決定するのに、保守及びビークルの動作履歴等のデータも使用されうる。
【００２７】
図１に、ビークルの異常表示を生成するように構成された、適切なライン交換可能ユニット（ＬＲＵ）１００を示す。図示したように、ＬＲＵは、プリント基板を外部のセンサ、アクチュエータ、及び電力に接続する内部接続トレース及びコネクタを有するプリント（ＰＣ）基板１０４に連結された電子ハードウェア１０２を含む。ＬＲＵは、有線接続又は無線通信を通して一または複数の外部のＬＲＵに内部接続される。動作中のＬＲＵは、ＬＲＵの経年劣化及び動作に影響を与える環境状態にさらされる。例えば、極端な熱又は温度は、ＬＲＵ内の半田接合部の寿命、又は接続部の品質及び抵抗に影響を与えうる。別の例では、振動が、半田接合部及びコネクタの寿命及び性能に影響を与えうる。コネクタにおける全ての高抵抗又は断続性は、プリント基板の電子構成要素によって読み取られる入力信号の振幅に影響しうる。このＢＩＴでの結果は、環境の一時的な状態での妨害的な異常を示している。ＬＲＵがビークルから取り外され試験される時などに状態が取り除かれると、異常は見つからない。
【００２８】
図２に、機外データ処理ユニット２０２に動作可能に結合されたビークル２００を示す。ビークルは、内部に搭載型異常表示システム２０６を有するビークル性能状態監視システム（ＶＨＭ）２０４と複数のＬＲＵ（そのうちの２つはＬＲＵ１００Ａ、１００Ｂとして具体的に示す）とを備えている。  異常表示システムは、組込み試験（ＢＩＴ）に応じてＬＲＵによって生成された異常を示すデータの受信を可能にするために、ＶＨＭに結合される。幾つかの例では、一又は複数のビークルシステムはデータをＶＨＭへ供給する。例えば、ビークルが専用のＶＨＭを含まない場合、他のビークルシステムがコレクタ、及びＶＨＭデータの機外データ処理ユニットへの通信機として機能しうる。ＢＩＴ信号は、現在の動作環境内の電子ハードウェアを通して信号経路から出力される。これらの試験は、スタートアップ（ＳＢＩＴ）で、別のシステムからの要求によって（ＩＢＩＴ）、又は連続的ＢＩＴ（ＣＢＩＴ）とも等しい特定の間隔（ＰＢＩＴ）で定期的に実施される。ＢＩＴ試験の結果は、直接、あるいは他のＬＲＵを介してＶＨＭに伝達される。図示したように、幾つかの例では、ＶＨＭにより、ＬＲＵのＢＩＴデータと機外データ処理ユニット２０２との通信が促進される。
【００２９】
機外データ処理ユニット２０２は、ＢＩＴデータを更に解析するように構成された高機能異常表示システム２０８を含む。高機能異常表示システムは、ビークルの状態及び保守履歴を記述するデータを記憶するように構成された保守管理システム（ＣＭＭＳ）２１０に結合可能である。ＣＭＭＳは、モニター、処理回路、及びトルースデータ（有効な異常）とＢＩＴの結果とを相互に関連付けするために取り壊し、ＬＲＵの技術指示及び地上試験等の大量の保守及び動作データを記憶する記憶デバイスを含む、一または複数のコンピュータシステムで構成されうる。ビークルのサブシステムの一方は、サブシステムの他方とは関係なく、別個のシステムとして機能又は動作しうることも、理解されたい。またさらに、ビークルは、図２に示すもの以外に一又は複数の追加の又は代替的なサブシステムを含みうることを、理解すべきである。例えば、別々に図示したが、幾つかの例では、ＣＭＭＳはビークル内に含まれている。  
【００３０】
図３に、電子ハードウェア１０２、及びビークル性能状態監視（ＶＨＭ）システム２０２を含むＬＲＵ１００を備えた、ビークル２００からの妨害的異常表示を削減する、高機能異常表示システム２０８をより具体的に示す。例示の実行形態の高機能異常表示システムは、本書では単に「システム」と称しうる。システムは、幾つかの異なる機能又は工程を、自動的に、オペレータの直接制御下で、又はこれらの組み合わせによって実施するように構成される。幾つかの例では、システムは、一又は複数の機能又は工程を自動的に、すなわち、オペレータによって直接制御されることなく、実施するように構成される。追加的に又は代替的に、幾つかの例では、システムは、一又は複数の機能又は工程を、オペレータの直接制御下で実施するように構成される。
【００３１】
本開示の例示の実行形態によれば、システム２０８は、ビークル２００から妨害的異常表示を削減するために、さまざまな機能又は工程を実施するように構成される。幾つかの例示の実行形態では、システムは、現在の動作環境に基づいてＬＲＵの信号経路の状態指標を決定し、ＬＲＵのコンピュータモデルから導出された状態指標への動作環境の変換を決定するように構成される。導出された状態指標は、複数の動作環境における、ＬＲＵの構造力学と、ＬＲＵへの機械的応力及び熱応力を表すものである。本システムは次に、異常表示の有効性又は無効性の確率を決定するように構成される。確率は、異常表示の解析、ＶＨＭシステム２０４又は別のビークルシステムからの（異常表示以外の）データ、ＣＭＭＳ２１０からのデータ、及び状態指標に基づいて決定される。システムは次に、状態指標に異常表示の有効性又は無効性の確率を乗算して、ＢＩＴ信号の有効性スコアを作成し、確率とビークルの保守データに基づいて閾値を更に設定し、ＢＩＴ信号の有効性スコアと閾値との比較に基づいて異常表示が有効か又は無効かを決定し、異常状態が有効な場合にのみ、通知を生成し又は通知を生成するために異常表示を出力し、異常状態が有効でない場合は異常表示を破棄する。
【００３２】
システム２０８は、一又は複数の機能又は工程を実施するために互いに結合された幾つかの異なるサブシステム（各々は個別のシステム）のそれぞれの一又は複数を含みうる。図３に示すように、幾つかの例では、システムは、互いに結合されたモデラー３０２、データ解析エンジン３０４、閾値セッター３０６、及びリーズナー３０８を含む。システムの一部として図示したが、モデラー、データ解析エンジン、閾値セッター又はリーズナーはシステムとは分離しているが、システムと通信していてもよい。サブシステムの一方は、サブシステムの他方とは関係なく、別個のシステムとして機能又は動作しうることも、理解されたい。またさらに、システムは、図３に示すもの以外に一又は複数の追加の又は代替的なサブシステムを含みうることを理解すべきである。
【００３３】
以下に更に詳細に説明するように、モデラー３０２、データ解析エンジン３０４、閾値セッター３０６、及びリーズナー３０８は、システム２０８のそれぞれの機能又は工程を実施するように構成される。モデラーは、複数の動作環境における、ＬＲＵ１００の電子ハードウェア１０２の構造力学、及び電子ハードウェアへの機械的応力及び熱応力を表すコンピュータモデルを生成する。本書で使用する「動作環境」は、電子ハードウェアの温度、湿度、振動、経年劣化又は衝撃係数、あるいはＬＲＵと、少なくとも１つの他のＬＲＵとの間の相互作用のうちの少なくとも１つによって定義される。  
【００３４】
データ解析エンジン３０４は、現在の動作環境に基づいて信号経路の状態指標を決定し、ＬＲＵ１００のコンピュータモデルから導出された状態指標への動作環境の変換を更に決定する。幾つかの例において、これには、複数の動作環境のうちの各動作環境において、変換を導出するようにデータ解析エンジンが構成されていることが含まれる。物理モデルを使用して、各信号経路の完全性が決定される。例えば、幾つかの実行形態では、応力モデルから導出されたプロファイルに基づいて、完全に良好な経路の状態指標には最大値の１が割り当てられ、機能性のない経路にはゼロの状態指標が割り当てられ、中間の性能状態の信号経路にはその間の値が割り当てられる。具体的には、データ解析エンジンは、入力信号をコンピュータモデルに適用して、電子ハードウェア１０２を通して、対応する信号経路から信号経路の出力信号を発生させ、入力信号と出力信号に基づいて動作環境の信号経路の状態指標を決定するように構成される。例えば、第１の入力信号の状態指標は、各第１、第２及び第３の環境状態下で０．１、０．３、０．５及び０．８に変化しうる。同様に、第２の入力信号の状態指標は、各第１、第２及び第３の環境状態下で０．２、０．３、０．５及び０．７に変化しうる。
【００３５】
データ解析エンジン３０４はまた、異常表示の有効性あるいは無効性の確率を決定する。この決定は、異常表示の解析、ＶＨＭシステム２０４又は他のビークルシステムからの異常表示以外のデータ、ＣＭＭＳからの保守履歴データ及び状態指標に基づくものである。例えば、従来の確率計算においては、１０００の異常表示がある場合、これらのうち、保守及び検査データに基づいて有効な異常表示が５００あることが分かった場合は、有効性の確率は５００割る１０００、又は０．５である。様々な種類の統計解析を適用して、異常表示又は正しい異常表示の確率を決定することができる。幾つかの例では、異常表示以外のＶＨＭシステム、又は他のビークルシステムからの確率を決定するデータには、現在の動作環境を表すパラメータが含まれる。更に、幾つかの例では、確率を決定するＣＭＭＳからのデータはＬＲＵ１００の異常表示履歴を含み、各異常表示が有効あるいは無効であるかを示し、また保守活動を示す。データ解析エンジンは更に、状態指標に異常表示の有効性又は無効性の確率を乗算して、ＢＩＴ信号の有効性スコアを作成する。
【００３６】
閾値セッター３０６は、確率に基づいて閾値を設定するように構成され、保守データ（例：トルースデータ）から導出される。リーズナー３０８は、ＢＩＴ信号の有効性スコアと閾値との比較に基づいて異常表示が有効であるか、あるいは無効であるかを決定するように構成される。幾つかの例において、これにはリーズナーが、ＢＩＴ信号の有効性スコアの値が許容上限を定義する閾値を下回る場合、又は許容下限を定義する閾値を上回る場合にＢＩＴ信号が有効であると決定するように構成されていることが含まれる。リーズナーはまた、異常表示が有効である場合にのみ、通知を生成し、あるいは通知を生成するために異常表示を出力し、異常表示が有効でない場合には異常表示を破棄するようにも構成される。幾つかの例において、これにはリーズナーが、通知又は異常表示に基づいてＣＭＭＳにＬＲＵの保守活動を自動的にスケジューリングさせるために、ＣＭＭＳへ通知又は異常表示を出力するように構成されていることが含まれる。
【００３７】
図４に、電子ハードウェア、及びＶＨＭシステムを含むＬＲＵを備えたビークルからの妨害的異常表示を削減するための方法４００の様々な工程を含むフロー図を示す。ブロック４０２に示すように、本方法は、ＶＨＭに結合可能な少なくとも１つの通信インターフェースによって、ＢＩＴに応じてＬＲＵによって生成された異常表示を含む、ビークルの現在の状態を記述するデータを受信することを含み、ＢＩＴ信号は、現在の動作環境内の電子ハードウェアを通して信号経路から出力される。少なくとも１つの通信インターフェースも、ビークルの状態及び保守履歴を記述するデータを記憶するように構成されたＣＭＭＳに結合可能である。
【００３８】
本方法はまた、ブロック４０４に示すように、複数の動作環境に対し、現在の動作環境と、ＬＲＵの構造力学及びＬＲＵへの機械的応力及び熱応力を表すＬＲＵのコンピュータモデルから導出された状態指標への動作環境の変換とに基づいて、信号経路の状態指標を決定することも含む。本方法はまた、ブロック４０６に示すように、異常表示の解析、異常表示以外のＶＨＭ又は別のビークルシステムからのデータ、ＣＭＭＳからのデータ、及び状態指標に基づいて、異常表示の有効性又は無効性の確率を決定することも含む。
【００３９】
本方法はまた、ブロック４０８に示すように、ＢＩＴ信号の有効性スコアを作成するために、状態指標に異常表示の有効性又は無効性の確率を乗算することも含む。本方法はまた、ブロック４１０に示すように、確率と保守データに基づいて閾値を設定することも含む。本方法はまた、ブロック４１２に示すように、処理回路によって、ＢＩＴ信号の有効性スコアと閾値との比較に基づいて、異常表示が有効であるか、あるいは無効であるかを決定することも含む。本方法はまた、ブロック４１４に示すように、異常表示が有効である場合にのみ、通知を生成すること、あるいは通知を生成するために異常表示を出力することと、異常表示が有効でない場合には異常表示を破棄することも含む。
【００４０】
本開示の幾つかの例示の実行形態によれば、様々な手段によって、ビークル２００と機外データ処理ユニット２０２、及びそれらのサブシステム及び／又はＬＲＵ１００を含む構成要素、ビークル監視システム（ＶＨＭ）２０４、搭載型異常表示システム２０６、及び高機能異常表示システム２０８、及びコンピュータ化保守管理システム（ＣＭＭＳ）２１０が実装されうる。同様に、様々な手段によって、モデラー３０２、データ解析エンジン３０４、閾値セッター３０６、及びリーズナー３０８を含む、高機能異常表示システム及びそれぞれのサブシステム及び／又は構成要素が実装されうる。システム、サブシステム及びこれらの各要素を実行するための手段は、単独の、又は、コンピュータ可読記憶媒体からの一又は複数のコンピュータプログラムの指示下にあるハードウェアを含みうる。
【００４１】
幾つかの実施例では、本明細書において図示及び記載されるシステム、サブシステム、ツール及びそれぞれの要素として機能するか、又はそうでない場合にそれらを実行するように構成される一又は複数の装置が提供されうる。一を上回る数の装置を伴う例では、それぞれの装置は、例えば直接的に、或いは、有線で又は無線ネットワークを介して間接的になど、いくつかの異なる様態で、互いに接続されうるか、そうでなければ通信可能でありうる。
【００４２】
図５に、本開示のいくつかの例示的な実行形態による装置５００を示す。概括的に、本開示の例示的な実行形態の装置は、一又は複数の固定的な又は携帯式の電子デバイスを備えるか、かかる電子デバイスを含むか、或いは、かかる電子デバイスにおいて具現化されうる。適切な電子デバイスの例は、スマートフォン、タブレットコンピュータ、ラップトップコンピュータ、デスクトップコンピュータ、ワークステーションコンピュータ、サーバコンピュータなどを含む。装置は、例えば、メモリ５０４（例えば記憶デバイス）に接続された処理回路５０２（例えばプロセッサユニット）といった、いくつかの構成要素の各々の一又は複数を含みうる。
処理回路５０２は概括的に、例えば、データ、コンピュータプログラム、及び／又は他の適切な電子情報などの情報を処理することが可能な、任意のコンピュータハードウェアである。処理回路は、電子回路の集合体で構成され、かかる電子回路の一部は、一集積回路又は複数の相互接続集積回路としてパッケージ化されうる（集積回路はより一般的には「チップ」と称されることがある）。処理回路は、コンピュータプログラムを実行するように構成されてよく、コンピュータプログラムは、処理回路に搭載された状態で保存されうるか、そうでなければ（同じ又は別の装置の）メモリ５０４に保存されうる。
【００４３】
処理回路５０２は、特定の実行形態に応じて、幾つかの処理回路、マルチプロセッサコア、又は他の何らかの種類の処理回路であってもよい。更に、処理回路は、単一のチップ上に一又は複数の二次処理回路と共にメインの処理回路が存在する、幾つかの異種プロセッサシステムを使用して、実装されうる。別の実施例として、処理回路は、同じ種類の複数の処理回路を包含する対称型マルチプロセッサシステムであってもよい。更に別の実施例では、処理回路は、一又は複数の特定用途向け集積回路（ＡＳＩＣ）、フィールドプログラマブルゲートアレイ（ＦＰＧＡ）などとして具現化されうるか、そうでなければ、それらを含みうる。ゆえに、処理回路は一又は複数の機能を実施するためのコンピュータプログラムを実行することが可能でありうるが、様々な例の処理回路は、コンピュータプログラムの支援がなくとも、一又は複数の機能を実施することが可能でありうる。
【００４４】
メモリ５０４は概して、一時的及び／又は恒久的に、例えば、データ、コンピュータプログラム（例えばコンピュータ可読プログラムコード５０６）、及び／又は、他の適切な情報等の情報を保存することが可能な、任意のコンピュータハードウェアである。メモリは、揮発性及び／又は不揮発性のメモリを含んでよく、かつ、固定式又は着脱式であってもよい。適切なメモリの例には、ランダムアクセスメモリ（ＲＡＭ）、読み出し専用メモリ（ＲＯＭ）、ハードドライブ、フラッシュメモリ、サムドライブ、着脱式コンピュータディスケット、光ディスク、磁気テープ、又はそれらの何らかの組み合わせが含まれる。光ディスクは、読み出し専用コンパクトディスク（ＣＤ−ＲＯＭ）、読み出し／書き込みコンパクトディスク（ＣＤ−Ｒ／Ｗ）、ＤＶＤなどを含みうる。様々な事例において、メモリはコンピュータ可読記憶媒体と称されうる。コンピュータ可読記憶媒体は、情報を保存することが可能な非一過性デバイスであり、ある場所から別の場所へと情報を運ぶことが可能な一過性の電気信号などのコンピュータ可読伝送媒体とは区別可能である。本書で説明するコンピュータ可読媒体は概して、コンピュータ可読記憶媒体又はコンピュータ可読伝送媒体を指すものでありうる。
【００４５】
メモリに加えて、処理回路も、情報を表示し、送信し、及び／又は受信するための一又は複数のインターフェースに接続されうる。インターフェースは、通信インターフェース５０８（例えば通信ユニット）、及び／又は一又は複数のユーザインターフェースを含みうる。通信インターフェースは、例えば他の装置（複数可）やネットワーク（複数可）などへ、及び／又はそれらから、情報を送信及び／又は受信するよう設定されうる。通信インターフェース５０８は、物理的な（有線の）及び／又は無線の通信リンクにより情報を送信及び／又は受信するように構成されうる。適切な通信インターフェースの例は、ネットワークインターフェースコントローラ（ＮＩＣ）や無線ＮＩＣ（ＷＮＩＣ）などを含む。
【００４６】
ユーザインターフェースは、ディスプレイ５１０及び／又は一又は複数のユーザ入力インターフェース５１２（例えば、入出力ユニット）を含みうる。ディスプレイは、ユーザに情報を提示するか、又は他の方法で表示するよう設定されてよく、その適切な例には、液晶ディスプレイ（ＬＣＤ）、発光ダイオードディスプレイ（ＬＥＤ）、プラズマディスプレイパネル（ＰＤＰ）などが含まれる。
【００４７】
ユーザ入力インターフェース５１２は、有線又は無線であってよく、処理、保存及び／又は表示用などの装置内にユーザから情報を受信するよう構成されうる。ユーザ入力インターフェースの適切な例は、マイク、画像又は動画の捕捉デバイス、キーボード又はキーパッド、ジョイスティック、タッチ感応型サーフェス（タッチスクリーンとは別個の、又はタッチスクリーンに統合されたもの）、生体認証センサなどを含む。ユーザインターフェースは、プリンタやスキャナなどの周辺機器と通信するための、一又は複数のインターフェースを更に含みうる。
【００４８】
上記のように、プログラムコード命令は、本書に記載のシステム、サブシステム及びそれらの各要素の機能を実行するために、メモリに記憶され、処理回路によって実行されうる。理解されるように、任意の好適なプログラムコード命令は、コンピュータ可読記憶媒体からコンピュータ又はその他のプログラム可能装置に読み込まれ、本書に特定される機能を実行する手段となる特定のマシンが製造される。また、これらのプログラムコード命令はコンピュータ可読記憶媒体にも記憶され、コンピュータ、処理回路、又はその他のプログラマブル装置を特定の方法で機能させることにより特定のマシン又は特定の製造品を生成することができる。コンピュータ可読記憶媒体に記憶された命令は、製造品を生産することができ、この製造品は本書に記載の機能を実行するための手段となる。プログラムコード命令は、コンピュータ、処理回路又は他のプログラマブル装置上で或いはそれらによって実施されるべき工程を実行するようにコンピュータ、処理回路又は他のプログラマブル装置を設定するため、コンピュータ可読記憶媒体から読み出され、コンピュータ、処理回路又は他のプログラマブル装置に読み込まれうる。
【００４９】
一度に１つの命令が読み出され、読み込まれ、かつ実行されるように、プログラムコード命令の読み出し、読み込み及び実行は、連続的に実施されうる。いくつかの例示的な実行形態では、複数の命令をまとめて読み出し、読み込み、かつ／又は実行するように、読み出し、読み込み、及び／又は実行が、並行して実施されうる。プログラムコード命令の実行により、コンピュータによって実行されるプロセスが生成され、これにより、コンピュータ、処理回路、又は他のプログラマブル装置によって実行される命令が本書に記載の機能を実行するための工程をもたらしうる。
【００５０】
処理回路による命令の実行、又は、コンピュータ可読記憶媒体における命令の保存は、特定の機能を実施するための工程の組み合わせをサポートする。このように、装置５００は、処理回路５０２と、処理回路に結合されたコンピュータ可読記憶媒体又はメモリ５０４とを含んでよく、処理回路は、メモリに保存されたコンピュータ可読プログラムコード５０６を実行するよう構成される。一又は複数の機能及び機能の組み合わせは、特殊用途ハードウェアに基づくコンピュータシステム、及び／又は、特定の機能を実施する処理回路、或いは、特殊用途ハードウェアとプログラムコード命令との組み合わせによって実行されうることも、理解されよう。
【００５１】
上述の説明及び添付図面に提示されている教示の恩恵を受ける、本開示に関連する当業者には、本書に明記された本開示の多数の修正例及びその他の実行形態が想起されよう。したがって、本開示は開示の特定の実行形態に限定されるものではないこと、及び、変形例及びその他の実行形態も付随する特許請求の範囲に含まれるよう意図されていることを、理解されたい。さらに、上述の説明及び添付図面は、要素及び／又は機能の特定の実施例の組み合わせに照らして例示の実行形態を説明しているが、特許請求の範囲から逸脱せずに、代替的な実行形態によって要素及び／又は機能の異なる組み合わせが提供されてもよいと理解されたい。つまり、付随する特許請求の範囲の一部に明記されうるように、例えば、明示的に上述されているものとは異なる要素及び／又は機能の組み合わせも想定される。本書では特定の用語を用いるが、それらは、一般的な、及び説明的な意味でのみ使用されており、限定を目的とするものではない。
【００５２】
さらに、本開示は、以下の条項による実施形態を含む。
【００５３】
条項１．電子ハードウェアを含むライン交換可能ユニット（ＬＲＵ）を備えたビークルからの妨害的異常表示を削減するための機外装置であって、少なくともデータを収集してビークル性能状態監視（ＶＨＭ）システム又は一または複数のビークルシステムに伝達するために、ビークル性能状態監視（ＶＨＭ）システム又は一または複数のビークルシステムに通信可能に結合されており、
現在の動作環境内の電子ハードウェアを通して信号経路からＢＩＴ信号が出力される組込み試験（ＢＩＴ）に応じて、複数のＬＲＵのうちの１つのＬＲＵによって生成された異常表示を含むデータを装置が受信することを可能にするＶＨＭ又は一または複数のビークルシステムに結合可能な少なくとも１つの通信インターフェースであって、ビークルの状態及び保守履歴を記述するデータを記憶するように構成されたコンピュータ化保守管理システム（ＣＭＭＳ）にも結合可能である少なくとも１つの通信インターフェースと、
少なくとも１つの通信インターフェースに結合された処理回路であって、少なくとも
複数の動作環境に対し、現在の動作環境に基づく信号経路の状態指標と、ＬＲＵの構造力学を表すＬＲＵのコンピュータモデルから導出された状態指標への動作環境の変換と、ＬＲＵへの機械的応力及び熱応力とを決定し、
異常表示の解析、異常表示以外の一または複数のビークルシステムからのデータ、及びＣＭＭＳからのデータ、及び状態指標に基づいて異常表示の有効性又は無効性の確率を決定し、
ＢＩＴ信号の有効性スコアを作成するために、状態指標に異常表示の有効性又は無効性の確率を乗算し、
確率及び保守データに基づく閾値を設定し、
ＢＩＴ信号の有効性スコアと閾値との比較に基づいて異常表示が有効か無効かを決定し、
異常表示が有効である場合にのみ、通知を生成し、又は通知を生成するために異常表示を出力し、あるいは異常表示が有効でない場合には異常表示を破棄する
ようにプログラミングされた処理回路と
を備える装置。
【００５４】
条項２．動作環境は、電子ハードウェアの温度、湿度、振動、経年劣化又は衝撃係数、又はＬＲＵと少なくとも１つの他のＬＲＵとの間の相互作用のうちの少なくとも１つによって定義される、条項１に記載の装置。
【００５５】
条項３．確率を決定するＣＭＭＳからのデータは、ＬＲＵの異常表示履歴を含み、各異常表示履歴はＬＲＵの修復及び保守活動の過去の効果に基づいて有効又は無効と示される、条項１又は２に記載の装置。
【００５６】
条項４．確率を決定する異常表示以外の一または複数のビークルシステムからのデータは、現在の動作環境を表すパラメータを含む、条項１から３のいずれか一項に記載の装置。
【００５７】
条項５．処理回路が更に変換を導出するようにプログラミングされ、これには少なくとも、
複数の動作環境の各動作環境に対し、ＬＲＵの動作環境における電子ハードウェアの構造力学、及び電子ハードウェアへの機械的応力及び熱応力を表すコンピュータモデルを構成し、
そのように構成されたコンピュータモデルを用いて、
電子ハードウェアを通して信号経路の対応する信号経路から出力信号を発生させるように、入力信号をコンピュータモデルに適用し、
入力信号と出力信号とに基づいてＬＲＵの動作環境における信号経路の状態指標を決定する
ように前記処理回路がプログラミングされていることが含まれる、条項１から４のいずれか一項に記載の装置。
【００５８】
条項６．異常表示が有効か無効かを決定するように処理回路がプログラミングされることは、ＢＩＴ信号の有効性スコアの値が許容上限を定義する閾値を下回る場合、又は許容下限を定義する閾値を上回る場合に、ＢＩＴ信号が有効であると決定するようにプログラミングされることを含む、条項１から５のいずれか一項に記載の装置。
【００５９】
条項７．処理回路が通知を生成する、又は通知を生成するために異常表示を出力するようにプログラミングされることは、通知又は異常表示に基づいてＣＭＭＳにＬＲＵの保守活動を自動的にスケジューリングさせるために、通知又は異常表示をＣＭＭＳに出力するようにプログラミングされることを含む、条項１から６のいずれか一項に記載の装置。
【００６０】
条項８．高機能異常表示システムを使用する電子ハードウェアを含むライン交換可能ユニット（ＬＲＵ）を備えたビークルからの妨害的異常表示を削減する方法であって、高機能異常表示システムは、少なくともデータを収集してビークル性能状態監視（ＶＨＭ）システム又は一または複数のビークルシステムに伝達するために、ビークル性能状態監視（ＶＨＭ）システム又は一または複数のビークルシステムに通信可能に結合され、
現在の動作環境内の電子ハードウェアを通して信号経路からＢＩＴ信号が出力される組込み試験（ＢＩＴ）に応じて、複数のＬＲＵのうちの１つのＬＲＵによって生成された異常表示を含むデータを、ＶＨＭに結合可能な少なくとも１つの通信インターフェースによって受信することであって、少なくとも１つの通信インターフェースは、ビークルの状態及び保守履歴を記述するデータを記憶するように構成されたコンピュータ化保守管理システム（ＣＭＭＳ）にも結合可能である、受信することと、
複数の動作環境に対し、現在の動作環境に基づく信号経路の状態指標と、ＬＲＵの構造力学を表すＬＲＵのコンピュータモデルから導出された状態指標への動作環境の変換と、ＬＲＵへの機械的応力及び熱応力とを処理回路によって決定することと、
異常表示の解析、異常表示以外の一または複数のビークルシステムからのデータ、及びＣＭＭＳからのデータ、及び状態指標に基づいて異常表示の有効性又は無効性の確率を決定することと、
ＢＩＴ信号の有効性スコアを作成するために、状態指標に異常表示の有効性又は無効性の確率を乗算することと、
処理回路によって、確率及び保守データに基づく閾値を設定することと、
処理回路によって、ＢＩＴ信号の有効性スコアと閾値との比較に基づいて、異常表示が有効か無効かを決定することと、
処理回路によって、異常表示が有効である場合にのみ通知を生成する、あるいは通知を生成するために異常表示を出力すること、あるいは異常表示が有効でない場合には異常表示を破棄することと
を含む方法。  
【００６１】
条項９．動作環境は、電子ハードウェアの温度、湿度、振動、経年劣化又は衝撃係数、又はＬＲＵと少なくとも１つの他のＬＲＵとの間の相互作用のうちの少なくとも１つによって定義される、条項８に記載の方法。
【００６２】
条項１０．確率を決定するＣＭＭＳからのデータは、ＬＲＵの異常表示履歴を含み、各異常表示履歴は、ＬＲＵの修復、異常表示及び保守活動の過去の効果に基づいて有効又は無効と示される、条項８又は９に記載の方法。
【００６３】
条項１１．確率を決定する異常表示以外の一または複数のビークルシステムからのデータは、現在の動作環境を表すパラメータを含む、条項８から１０のいずれか一項に記載の方法。
【００６４】
条項１２．処理回路によって変換を導出することを更に含み、これには、
複数の動作環境の各動作環境に対し、
ＬＲＵの動作環境における電子ハードウェアの構造力学、及び電子ハードウェアへの機械的応力及び熱応力を表すコンピュータモデルを構成することと、
そのように構成されたコンピュータモデルを用いて、
電子ハードウェアを通して信号経路の対応する信号経路から出力信号が発生するように入力信号をコンピュータモデルに適用することと、
入力信号と出力信号とに基づいてＬＲＵ動作環境における信号経路の状態指標を決定することと
が含まれる、条項８から１１のいずれか一項に記載の方法。
【００６５】
条項１３．異常表示が有効か無効かを決定することは、ＢＩＴ信号の有効性スコアの値が許容上限を定義する閾値を下回る場合、又は許容下限を定義する閾値を上回る場合に、ＢＩＴ信号が有効であると決定することを含む、条項８から１２のいずれか一項に記載の方法。
【００６６】
条項１４．通知を生成する、又は通知を生成するために異常表示を出力することは、通知又は異常表示に基づいてＣＭＭＳにＬＲＵの保守活動を自動的にスケジューリングさせるために、通知又は異常表示をＣＭＭＳに出力することを含む、条項８から１３のいずれか一項に記載の方法。
【００６７】
条項１５．高機能異常表示システムを使用する電子ハードウェアを含むライン交換可能ユニット（ＬＲＵ）を備えたビークルからの妨害的異常表示を削減するためのコンピュータ可読記憶媒体であって、高機能異常表示システムは、少なくともデータを収集してビークル性能状態監視（ＶＨＭ）システム又は一または複数のビークルシステムに伝達するために、ビークル性能状態監視（ＶＨＭ）システム又は一または複数のビークルシステムに通信可能に結合されており、
処理回路による実行に応じて、装置に少なくとも
現在の動作環境内の電子ハードウェアを通して信号経路からＢＩＴ信号が出力される組込み試験（ＢＩＴ）に応じて、複数のＬＲＵのうちの１つのＬＲＵによって生成された異常表示を含むデータを、ＶＨＭに結合可能な少なくとも１つの通信インターフェースによって受信することであって、少なくとも１つの通信インターフェースは、ビークルの状態及び保守履歴を記述するデータを記憶するように構成されたコンピュータ化保守管理システム（ＣＭＭＳ）にも結合可能である、受信することと、
複数の動作環境に対し、現在の動作環境に基づく信号経路の状態指標と、ＬＲＵの構造力学を表すＬＲＵのコンピュータモデルから導出された状態指標への動作環境の変換と、ＬＲＵへの機械的応力及び熱応力とを決定することと、
異常表示の解析、異常表示以外の一または複数のビークルシステムからのデータ、及びＣＭＭＳからのデータ、及び状態指標に基づいて異常表示の有効性又は無効性の確率を決定することと、
ＢＩＴ信号の有効性スコアを作成するために、状態指標に異常表示の有効性又は無効性の確率を乗算することと、
確率及び保守データに基づく閾値を設定することと、
ＢＩＴ信号の有効性スコアと閾値との比較に基づいて、異常表示が有効か無効かを決定することと、
異常表示が有効である場合にのみ通知を生成する、あるいは通知を生成するために異常表示を出力すること、あるいは異常表示が有効でない場合には異常表示を破棄することと
を実施させるコンピュータ可読プログラムコードが記憶されたコンピュータ可読記憶媒体。
【００６８】
条項１６．動作環境は、電子ハードウェアの温度、湿度、振動、経年劣化又は衝撃係数、又はＬＲＵと少なくとも１つの他のＬＲＵとの間の相互作用のうちの少なくとも１つによって定義される、条項１５に記載のコンピュータ可読記憶媒体。
【００６９】
条項１７．確率を決定するＣＭＭＳからのデータはＬＲＵの異常表示履歴を含み、各異常表示履歴はＬＲＵの修復及び保守活動の過去の効果に基づいて有効又は無効と示される、条項１５又は１６に記載のコンピュータ可読記憶媒体。
【００７０】
条項１８．確率を決定する異常表示以外の一または複数のビークルシステムからのデータは、現在の動作環境を表すパラメータを含む、条項１５から１７のいずれか一項に記載のコンピュータ可読記憶媒体。
【００７１】
条項１９．装置に更に少なくとも変換を導出させ、これには、
複数の動作環境の各動作環境に対し、装置に少なくとも
ＬＲＵの動作環境における電子ハードウェアの構造力学、及び電子ハードウェアへの機械的応力及び熱応力を表すコンピュータモデルを構成することと、
そのように構成されたコンピュータモデルを用いて、
電子ハードウェアを通して信号経路の対応する信号経路から出力信号が発生するように入力信号をコンピュータモデルに適用することと、
入力信号と出力信号とに基づいてＬＲＵ動作環境における信号経路の状態指標を決定することと
を実施させることが含まれる、条項１５から１８のいずれか一項に記載のコンピュータ可読記憶媒体。
【００７２】
条項２０．異常表示が有効か無効かを決定することを装置に実施させることは、ＢＩＴ信号の有効性スコアの値が許容上限を定義する閾値を下回る場合、又は許容下限を定義する閾値を上回る場合に、ＢＩＴ信号が有効であると決定することを装置に実施させることを含む、条項１５から１９のいずれか一項に記載のコンピュータ可読記憶媒体。
【００７３】
条項２１．通知を生成する、又は通知を生成するために異常表示を出力することを装置に実施させることは、通知又は異常表示に基づいてＣＭＭＳにＬＲＵの保守活動を自動的にスケジューリングさせるために、通知又は異常表示をＣＭＭＳに出力することを装置に実施させることを含む、条項１５から２０のいずれか一項に記載のコンピュータ可読記憶媒体。
【００７４】
上述の説明及び添付図面において提示されている教示の恩恵を受ける、本開示に関連する当業者には、本書に明記された本開示の多数の修正例及びその他の実行形態が想起されよう。したがって、本開示は開示の特定の実行形態に限定されるものではないこと、及び、変形例及びその他の実行形態も付随する特許請求の範囲に含まれるよう意図されていることを、理解されたい。さらに、上述の説明及び添付図面は、要素及び／又は機能の特定の実施例の組み合わせに照らして例示の実行形態を説明しているが、特許請求の範囲から逸脱せずに、代替的な実行形態によって要素及び／又は機能の異なる組み合わせが提供されてもよいと理解されたい。つまり、付随する特許請求の範囲の一部に明記されうるように、例えば、明示的に上述されているものとは異なる要素及び／又は機能の組み合わせも想定される。本書では特定の用語が用いられているが、それらは、一般的な、及び説明的な意味でのみ使用されており、限定を目的とするものではない。
【図１】
2018139104.tif 000003
【図２】
2018139104.tif 000004
【図３】
2018139104.tif 000005
【図４】
2018139104.tif 000006
【図５】
2018139104.tif 000007
【外国語明細書】
2018139104000001.pdf
2018139104000002.pdf
2018139104000003.pdf
2018139104000004.pdf